(57)【要約】【課題】軽量で、巻取りや作業者への断片の突き刺しを防止し、しかも滑りにくい巻取り用転がり防止部材およびその製造方法を提供する。【解決手段】本発明の巻取り用転がり防止部材１は、三角柱状で、四角形状の側面のうちのいずれか一面１０ａが接地面にされて用いられ、三角柱状の転がり防止部材本体１０と、転がり防止部材本体１０の、前記接地面にされる面１０ａに設けられた防滑材２０とを備え、転がり防止部材本体１０は、紙基材により形成された三角柱状の芯材１１と、芯材１１に密着した状態で芯材１１の全体を包んでいる補強フィルム１２とを有するとする。【選択図】図２
2010179490.tif 000002
【特許請求の範囲】
【請求項１】
三角柱状で、四角形状の側面のうちのいずれか一面が接地面にされて用いられる巻取り用の転がり防止部材であって、
三角柱状の転がり防止部材本体と、該転がり防止部材本体の、前記接地面にされる面に設けられた防滑材とを備え、
転がり防止部材本体は、紙基材により形成された三角柱状の芯材と、該芯材に密着した状態で該芯材の全体を包んでいる補強フィルムとを有することを特徴とする巻取り用転がり防止部材。
【請求項２】
紙基材が段ボールである請求項１に記載の巻取り用転がり防止部材。
【請求項３】
紙基材を折り曲げて三角柱状の芯材を得る工程と、
前記芯材を補強フィルムにより、芯材に補強フィルムが密着するように包んで、転がり防止部材本体を得る工程と、
該転がり防止部材本体の四角形状の側面のうちのいずれか一面に防滑材を設ける工程とを有することを特徴とする巻取り用転がり防止部材の製造方法。
【請求項４】
転がり防止部材本体を得る工程では、芯材の周囲に配置させたシュリンクフィルムを加熱収縮させることにより、芯材を補強フィルムで包む請求項３に記載の巻取り用転がり防止部材の製造方法。
【請求項５】
紙基材として段ボールを用いる請求項３または４に記載の巻取り用転がり防止部材の製造方法。
【発明の詳細な説明】
【技術分野】
【０００１】
本発明は、紙、プラスチックフィルムまたは金属箔等の巻取りの転がりを防止するための転がり防止部材およびその製造方法に関する。
【背景技術】
【０００２】
通常、紙、プラスチックフィルムまたは金属箔等は、巻取り（ロール）の形態で保管、輸送される（例えば特許文献１参照）。その際、例えば、巻取りが転がることを防ぐために、一対の転がり防止部材を、巻取りの接地部分を挟み込むように床面と巻取りの周面との間に差し込むことがある。従来、転がり防止部材としては、木製のものが広く使用されていた。
【先行技術文献】
【特許文献】
【０００３】
【特許文献１】特開２００８−９４４３１号公報
【発明の概要】
【発明が解決しようとする課題】
【０００４】
しかしながら、木製の転がり防止部材は重いため、巻取りの接地部分に転がり防止部材を固定する作業の負担が大きいという問題を有していた。また、木製の転がり防止部材では、表面から剥れた棘状の断片が巻取りや作業者に突き刺さることがあった。さらに、木製の転がり防止部材では滑りやすいため、転がり防止性が不安定であった。特に、巻取り輸送時にプラスチック製のパレットを用いた場合には転がり防止性が不安定になりやすかった。
そこで、本発明は、軽量で、巻取りや作業者への断片の突き刺しを防止し、しかも滑りにくい巻取り用転がり防止部材およびその製造方法を提供することを目的とする。
【課題を解決するための手段】
【０００５】
本発明は以下の構成を有する。
［１］  三角柱状で、四角形状の側面のうちのいずれか一面が接地面にされて用いられる巻取り用の転がり防止部材であって、
三角柱状の転がり防止部材本体と、該転がり防止部材本体の、前記接地面にされる面に設けられた防滑材とを備え、
転がり防止部材本体は、紙基材により形成された三角柱状の芯材と、該芯材に密着した状態で該芯材の全体を包んでいる補強フィルムとを有することを特徴とする巻取り用転がり防止部材。
［２］  紙基材が段ボールである［１］に記載の巻取り用転がり防止部材。
［３］  紙基材を折り曲げて三角柱状の芯材を得る工程と、
前記芯材を補強フィルムにより、芯材に補強フィルムが密着するように包んで、転がり防止部材本体を得る工程と、
該転がり防止部材本体の四角形状の側面のうちのいずれか一面に防滑材を設ける工程とを有することを特徴とする巻取り用転がり防止部材の製造方法。
［４］  転がり防止部材本体を得る工程では、芯材の周囲に配置させたシュリンクフィルムを加熱収縮させることにより、芯材を補強フィルムで包む［３］に記載の巻取り用転がり防止部材の製造方法。
［５］  紙基材として段ボールを用いる［３］または［４］に記載の巻取り用転がり防止部材の製造方法。
【発明の効果】
【０００６】
本発明の巻取り用転がり防止部材は、軽量で、巻取りや作業者への断片の突き刺しを防止し、しかも滑りにくい。
本発明の巻取り用転がり防止部材の製造方法によれば、軽量で、巻取りや作業者への断片の突き刺しを防止し、しかも滑りにくい巻取り用転がり防止部材を製造できる。
【図面の簡単な説明】
【０００７】
【図１】本発明の転がり防止部材の一実施形態を示す斜視図である。
【図２】図１のＡ−Ａ’断面図である。
【図３】図１に示す転がり防止部材を構成する芯材を示す斜視図である。
【図４】転がり防止部材の使用例を示す側面図である。
【図５】本発明の転がり防止部材の製造方法の一実施形態での一工程を示す図である。
【図６】本発明の転がり防止部材の製造方法の一実施形態での一工程を示す図である。
【発明を実施するための形態】
【０００８】
＜巻取り用転がり防止部材＞
本発明の巻取り用転がり防止部材（以下、転がり防止部材と略す。）の一実施形態について説明する。図１，２に、本実施形態の転がり防止部材を示す。この転がり防止部材１は、三角柱状で、四角形状の側面のうちのいずれか一面が接地面にされて用いられるものであり、三角柱状の転がり防止部材本体１０と、転がり防止部材本体１０に設けられた防滑材２０と、転がり防止部材本体１０および防滑材２０の間に設けられた接着剤層３０とを備えている。
【０００９】
（転がり防止部材本体）
転がり防止部材本体１０は、三角柱状の芯材１１と、芯材１１に密着した状態で芯材１１の全体を包んでいる補強フィルム１２とを有する。
【００１０】
本実施形態における芯材１１は、矩形状の側面１１ａ，１１ｂ，１１ｃを有しているが、底面を有していない中空体である（図２，３参照）。
また、本実施形態における芯材１１は、長さ方向に垂直な断面が直角三角形になっていることが好ましい。したがって、芯材１１に３面ある矩形状の側面１１ａ，１１ｂ，１１ｃの面積は各々異なっている。本実施形態では、側面１１ａ，１１ｂ，１１ｃのうち、最も面積の大きい側面１１ａを接地面側に配置している。
また、芯材１１は紙基材が折り曲げられて形成されている。芯材１１に用いられる紙基材としては、例えば、段ボール、板紙などが挙げられるが、転がり防止部材１として充分な強度が得られる点では、段ボールが好ましい。
【００１１】
補強フィルム１２は、芯材１１の外表面が露出しないように芯材１１の全体を覆って、芯材１１を補強するものである。ここで、芯材１１の全体は、側面１１ａ，１１ｂ，１１ｃのみならず、三角柱の両側の底面１０ｄに面した端部を含む。本実施形態においては、補強フィルム１２は三角柱状の転がり防止部材本体１０の側面と底面の全体に配置されている。したがって、転がり防止部材本体１０の三角形の両側の底面１０ｄにおける芯材１１の端部で囲まれた部分では補強フィルム１２のみが配置されている。
本実施形態における補強フィルム１２は、熱収縮したシュリンクフィルムである。シュリンクフィルムとしては、例えば、ポリエチレンテレフタレート、ポリ塩化ビニル、ポリエチレン、ポリプロピレン、スチレン−ブタジエンブロック共重合体等のプラスチックシートを一軸または二軸に延伸させたものが使用される。
【００１２】
（防滑材）
防滑材２０は、芯材１１の側面１１ａ側、すなわち接地面側に設けられており、転がり防止部材１が設置される面に対する摩擦力を高めるものである。
本実施形態では、防滑材２０としてシート状の高摩擦材料が使用されている。高摩擦材料としては、例えば、合成ゴム、天然ゴム、ポリウレタン、ポリ塩化ビニルなどが挙げられる。軽量化の点からは、高摩擦材料は発泡していることが好ましい。
【００１３】
（接着剤層）
接着剤層３０は、防滑材２０を転がり防止部材本体１０に接着させるためのものである。
接着剤層３０を構成する接着剤としては、補強フィルム１２に防滑材２０を接着可能なものが用いられ、例えば、エチレン−酢酸ビニル共重合体、アクリル酸エステル共重合体、メタクリル酸エステル共重合体、ポリ塩化ビニル、ポリ塩化ビニリデン、合成ゴム、天然ゴム、ポリウレタン、シリコーン等が挙げられる。
【００１４】
（使用方法）
上記転がり防止部材１は、床面やパレット上面等の水平面に置かれた巻取りに対して使用される。すなわち、図４に示すように、巻取り２が水平面３に接する部分の両側に、一対の転がり防止部材１，１を、防滑材２０が水平面３に接する共に転がり防止部材１の２番目に面積の大きい矩形状の側面１ｂが巻取り２に対向するように配置する。そして、各転がり防止部材１を巻取り２の周面２ａと水平面３との間に差し込んで、巻取り２を固定する。
このように転がり防止部材１を使用することによって、保管時または輸送時での巻取り２の転がりを防止する。
【００１５】
ここで、巻取り２としては、紙、プラスチックフィルム、金属箔等の巻取りが挙げられる。巻取り２は包装体で包装されていてもよい。巻取り２が感熱記録紙の巻取りの場合には、包装体は遮光性と遮熱性を有することが好ましい。
遮光性と遮熱性を有する包装体としては、例えば、着色シートと光反射性シートとが積層されたものが挙げられる。
着色シートとしては、例えば、カーボンブラックを含有する紙またはプラスチックシート（例えば、ポリエチレンシート等）が挙げられる。
光反射性シートとしては、酸化チタン等の白色顔料を含有する紙またはプラスチックシートが挙げられる。また、光反射性シートとして、未晒クラフト紙、半晒クラフト紙、晒クラフト紙、両更クラフト紙、両更晒クラフト紙、純白包装紙、純白ロール紙、Ｓロール紙、Ｇロール紙、片艶晒クラフト紙、筋入クラフト紙、デュオストレス紙、バライタ原紙、クルパック紙、片艶クラフト紙、薄口模造紙、上質紙、障子紙、アート原紙などが挙げられる。
【００１６】
（作用効果）
上述した転がり防止部材１は、紙基材とフィルムとによって構成されているため、軽量であり、しかも棘状の断片が形成されにくく、巻取り２や作業者への断片の突き刺しを防止できる。
紙基材で構成された芯材１１のみでは、巻取り２の質量に対して強度が不足すると共に耐水性が不充分になるが、上記転がり防止部材１では、芯材１１の全体が補強フィルム１２で包まれているため、巻取り２の質量にも耐えうる強度を有し、また、芯材１１への水分の接触が防止されている。そのため、転がり防止部材１は充分な強度と耐水性を有している。
フィルムが床面やパレット上面等に直接接する場合には、摩擦力が小さく、滑りやすいため、巻取り２の転がり防止の安定性を確保できない。上記転がり防止部材１の転がり防止部材本体１０は補強フィルム１２で覆われているが、転がり防止部材本体１０の一面に設けられた防滑材２０によって摩擦力が大きくなっている。そのため、滑りにくく、巻取り２の転がり防止の安定性を高くでき、特に、巻取り２の輸送時にプラスチック製のパレットを用いても転がり防止の安定性を確保できる。
【００１７】
＜転がり防止部材の製造方法＞
次に、上記転がり防止部材１の製造方法の一実施形態について説明する。
本実施形態の製造方法では、まず、図５に示すように、矩形状の紙基材４０を、幅方向に沿った３つの折り目（第１の折り目α、第２の折り目β、第３の折り目γ）にて谷折りする。その際、第１の折り目αと第２の折り目βとの間の第２の部分４２の面積が最も大きくなり、第２の折り目βと第３の折り目γとの間の第３の部分４３の面積が２番目に大きくなり、第１の折り目αから外側の第１の部分４１と第３の折り目γから外側の第４の部分４４の面積が略同等になり、さらに、得られる三角柱の長さ方向の断面が直角三角形になるように折る。
次いで、図３に示すように、第１の部分４１と第４の部分４４とを、第４の部分４４が外側になるように重ねると共に接着剤により接着して、三角柱状の芯材１１を得る。
【００１８】
次いで、筒状のシュリンクフィルム１２ａに芯材１１を収容し、図６に示すように、筒状のシュリンクフィルム１２ａの両側の開口部を熱融着により閉じて、芯材１１を密閉する。その後、加熱炉等によって、シュリンクフィルム１２ａが収縮する温度で加熱する。加熱温度は、充分な収縮性を得るためには、シュリンクフィルム１２ａを構成するプラスチックのガラス転移温度を超えないことが好ましい。
上記の加熱により、シュリンクフィルム１２ａを加熱収縮させ、芯材１１に密着させて、三角柱状の転がり防止部材本体１０を得る。
【００１９】
次いで、防滑材２０の片面に接着剤を塗工し、乾燥して接着剤層３０を形成する。その際の塗工方法としては、例えば、刷毛による塗工法、スプレーによる塗工法、公知のコーターを用いた塗工法などを適用できる。乾燥方法としては、例えば、熱風による乾燥法、赤外線照射による乾燥法などを適用できる。
そして、転がり防止部材本体１０の最も面積の大きい矩形状の側面１０ａと、防滑材２０とを、接着剤層３０を介して貼り合せて、図１に示す転がり防止部材１を得る。
【００２０】
上記製造方法によれば、シュリンクフィルム１２ａで芯材１１を包み、シュリンクフィルム１２ａが収縮する温度で加熱するため、転がり防止部材本体１０を簡便に得ることができる。したがって、転がり防止部材１を簡便に製造できる。
【００２１】
なお、本発明は、上記実施形態に限定されない。
例えば、防滑材２０は、転がり防止部材本体１０の最も面積の大きい矩形状の側面１０ａに設けられていなくてもよく、例えば、側面１０ｂ，１０ｃに設けられていても構わない。
また、芯材１１および転がり防止部材本体１０の形状は、巻取りの記録面に傷を付けにくいため、長さ方向に垂直な断面が直角三角形であることが好ましい。
また、芯材１１が紙基材からなる底面を有してもよい。
補強フィルム１２としては、ストレッチフィルム（例えばポリオレフィンフィルム、ポリ塩化ビニルフィルム等）を用いても構わない。補強フィルム１２としてストレッチフィルムを用いる場合には、芯材１１にストレッチフィルムを引き伸ばしながら巻き付けることで、芯材１１を包んで、転がり防止部材本体１０を得る。
また、防滑材２０はシート状でなくてもよく、例えば、転がり防止部材本体１０にドット状に設けられていてもよい。
防滑材２０を構成する高摩擦材料自体が粘着性を有する場合には、接着剤層３０を省略しても構わない。粘着性を有する高摩擦材料としては、天然ゴム、合成ゴム、ポリウレタンなどが挙げられる。
【符号の説明】
【００２２】
１  転がり防止部材
２  巻取り
２ａ  周面
３  水平面
１０  転がり防止部材本体
１０ａ，１０ｂ，１０ｃ  側面
１１  芯材
１１ａ，１１ｂ，１１ｃ  側面
１２  補強フィルム
２０  防滑材
３０  接着剤層
４０  紙基材
４１  第１の部分
４２  第２の部分
４３  第３の部分
４４  第４の部分
α  第１の折り目
β  第２の折り目
γ  第３の折り目
【図１】
2010179490.tif 000003
【図２】
2010179490.tif 000004
【図３】
2010179490.tif 000005
【図４】
2010179490.tif 000006
【図５】
2010179490.tif 000007
【図６】
2010179490.tif 000008